(57)【要約】      （修正有）【課題】スティック状の収容ケースに収容した光学素子を、安定した状態で順次取り出すことができる光学素子の取り出し用治具を提供する。【解決手段】レンズＬＳが、自重によりレンズ収容ケースＰＬＣからガイド溝Ｄに移送された後、ガイド溝Ｄに沿って供給される空気により推進力を付与されて取り出し部Ｂ側へと搬送されるようになっているので、ガイド溝Ｄ内でのレンズＬＳの移動は自重のみに依存することがなく、軽いレンズＬＳであってもガイド溝Ｄ内で引っかかり等が生じることなく、安定して取り出し部Ｂへと搬送を行える。又、ガイド溝Ｄが曲線状であり、連結部Ａ側から取り出し部Ｂ側へと徐々に水平に近づくように搬送されるので、取り出し部Ｂでは、自重に依存する推進力が減少することから、レンズＬＳの勢いが弱まり、その飛び出しを抑制でき、ガイド溝Ｄの端部で安定して係止した状態に保持される。【選択図】図３
2014125340.tif 000002
【特許請求の範囲】
【請求項１】
複数の光学素子を直線的に並べて保持する中空の収容ケースから光学素子を移送した後、取り出し部にて取り出すための治具であって、
前記収容ケースに連結される連結部と、前記取り出し部との間を延在する少なくとも一部が曲線状となったガイド溝と、
前記ガイド溝に気体を供給する気体供給部と、
前記取り出し部で前記光学素子を係止する係止手段と、を有し、
光学素子の取り出し時に、前記ガイド溝が前記連結部側から前記取り出し部側へ向かうにつれて徐々に水平に近づくように配置され、取り出すべき光学素子は、自重により前記連結部に連結された収容ケースから前記ガイド溝に移送された後、前記ガイド溝に沿って、前記気体供給部から供給される気体により推進力を付与されて前記連結部側から前記取り出し部側へと移動するようになっていることを特徴とする光学素子の取り出し用治具。
【請求項２】
前記ガイド溝は、前記連結部側に設けられ前記気体供給部に連結された吐出路と、前記取り出し部側に設けられ外部に連通した排気路とに接続していることを特徴とする請求項１に記載の光学素子の取り出し用治具。
【請求項３】
前記係止手段は、前記取り出し部にて気体を吸引する連通孔を備えることを特徴とする請求項１又は２に記載の光学素子の取り出し用治具。
【請求項４】
前記光学素子はフランジ部を有し、前記ガイド溝は、前記フランジ部を両側で支持するガイド部を有することを特徴とする請求項１〜３のいずれかに記載の光学素子の取り出し用治具。
【請求項５】
前記ガイド溝は、前記取り出し部近傍において直線状になっていることを特徴とする請求項１〜４のいずれかに記載の光学素子の取り出し用治具。
【請求項６】
前記ガイド溝は、水平位置と傾動位置との間で揺動可能となっており、前記水平位置で前記収容ケースが前記ガイド溝に連結された後、前記傾動位置まで傾動されることで、前記収容ケース内の光学素子が自重により前記ガイド溝へと移送されることを特徴とする請求項１〜５のいずれかに記載の光学素子の取り出し用治具。
【請求項７】
前記傾動位置にて前記ガイド溝の傾きを固定するロック機構を有することを特徴とする請求項６に記載の光学素子の取り出し用治具。
【請求項８】
前記治具は、前記取り出し部の周囲に、凹部を設けたことを特徴とする請求項１〜６のいずれかに記載の光学素子の取り出し用治具。
【発明の詳細な説明】
【技術分野】
【０００１】
本発明は、小型で高精度な光学素子を収容した収容ケースから光学素子を取り出すための治具に関する。
【背景技術】
【０００２】
例えば光ディスク等の記録・再生に使用する光ピックアップ用のレンズや、小型の撮像装置に用いるレンズ等の光学素子は、高精度でありながら小径であるため、これをレンズの製造工程から組立工程に搬送する際に、塵埃等の付着や、不用意な落下やキズ等を防ぐことが望まれるが、同時に搬送時や保管時の省スペース化も望まれている。これに対し、かかる光学素子を一列に並べて保持することで、光学素子の保護と省スペース化を図れるスティック状の収容ケースが開発されている。しかるに、そのような収容ケースから光学素子をどのようにして取り出すかという課題がある。
【０００３】
光学素子を一列に並べて保持するスティック状の収容ケースでは、収容ケースを傾ければ、重力加速度方向下方の端部から，収容されていた光学素子が自重により速やかに排出されるので、後工程を考えない限り光学素子の取り出しは容易でもあるともいえる。しかしながら、光学素子を光学機器に組み付けようとする場合、１つずつ光学素子を取り出すことが望ましく、複数の光学素子が一度に排出されると取り扱いが不便になる恐れがある。特に、レンズの取り出しを自重に頼る場合、収容されているレンズの数が少なくなるほど、取り出し位置への推進力が弱まり、中で引っかかるなどの恐れがある。
【０００４】
これに対し特許文献１には、スティック状の収容ケースの末端にパイプを接続し、コンプレッサよりパイプ内に圧縮空気を送出できるようにし、かかる送出タイミングを電磁弁で調整することで、光学素子を１つずつ取り出せるようにした技術が開示されている。
【先行技術文献】
【特許文献】
【０００５】
【特許文献１】特開２００８−２１３８７３号公報
【発明の概要】
【発明が解決しようとする課題】
【０００６】
ところで、この従来技術では収容ケースの末端にパイプを接続し、コンプレッサよりパイプ内に圧縮空気を送出できるようにしているので、装置全体が大きくなり取り扱いにくくなるとともに、コスト増を招いている。又、取り出されたレンズの状態については詳細な記載がないが、一般的には、収容ケースから取り出されたレンズは、光学面に触れない様に注意深く取り扱う必要が有り、取り出し位置ではレンズをなるべく水平におかないと，後工程の作業効率が悪くなる場合がある。更に収容ケースから取り出した後、レンズが安定した状態にないと、不用意な落下などを招き、それによるキズ付きや汚染が生じる恐れもある。
【０００７】
特に近年では、光ピックアップ装置や撮像装置において、外径がφ2.5〜12ｍｍ程度と非常に小さく且つ軽いレンズが広範に用いられるようになってきたが、このようなレンズを圧縮空気で押し出すと、ガイド端部に勢い良く当たりフランジ部にキズ破損が生じたり、取り出し口から勢いよく飛び出すなどの恐れがある。しかしながら、このような用途のレンズは、特に高精度が要求されることから、光学面及びフランジ部の傷付き等に対する要求水準は非常に厳しいものであり、よって小さい光学素子でも安定した取り出しを行える治具が切望されている。
【０００８】
本発明は、上述の問題に鑑みてなされたものであり、スティック状の収容ケースに収容した光学素子を、安定した状態で順次取り出すことができる光学素子の取り出し用治具を提供することを目的とする。
【課題を解決するための手段】
【０００９】
請求項１に記載の光学素子の取り出し用治具は、複数の光学素子を直線的に並べて保持する中空の収容ケースから光学素子を移送した後、取り出し部にて取り出すための治具であって、
前記収容ケースに連結される連結部と、前記取り出し部との間を延在する少なくとも一部が曲線状となったガイド溝と、
前記ガイド溝に気体を供給する気体供給部と、
前記取り出し部で前記光学素子を係止する係止手段と、を有し、
光学素子の取り出し時に、前記ガイド溝が前記連結部側から前記取り出し部側へ向かうにつれて徐々に水平に近づくように配置され、取り出すべき光学素子は、自重により前記連結部に連結された収容ケースから前記ガイド溝に移送された後、前記ガイド溝に沿って、前記気体供給部から供給される気体により推進力を付与されて前記連結部側から前記取り出し部側へと移動するようになっていることを特徴とする。
【００１０】
本発明によれば、光学素子が、自重により前記連結部に連結された収容ケースから前記ガイド溝に移送された後、前記ガイド溝に沿って、前記気体供給部から供給される気体により推進力を付与されて前記連結部側から前記取り出し部側へと搬送されるようになっているので、前記ガイド溝内での光学素子の移動は自重のみに依存することがなく、軽い光学素子であっても前記ガイド溝内で引っかかり等が生じることなく、安定して前記取り出し部へと搬送を行える。又、前記ガイド溝が曲線状であり、光学素子の取り出し時に、前記ガイド溝が前記連結部側から前記取り出し部側へ向かうにつれて徐々に水平に近づくように配置されるので、前記ガイド溝に沿って移動する光学素子に対し、前記取り出し部に近づくにつれて自重に依存する推進力が減少することから、前記光学素子の勢いが弱まり、その飛び出しを抑制でき、更に前記係止手段により安定して係止した状態に保持される。これにより、後工程の作業者は，前記光学素子を取り出して組み付けなどの作業を容易に行うことができる。尚、取り出し部は必ずしも水平である必要はなく、水平に近ければ良い。
【００１１】
請求項２に記載の光学素子の取り出し用治具は、請求項１に記載の発明において、前記ガイド溝は、前記連結部側に設けられ前記気体供給部に連結された吐出路と、前記取り出し部側に設けられ外部に連通した排気路とに接続していることを特徴とする。
【００１２】
これにより、前記吐出路を前記ガイド溝の連結部側に設けることで、装置の小型化を図れる。又、前記排気路を前記ガイド溝の取り出し部側に設けることで、前記取り出し部側に移動した光学素子に対する気体の圧力を減少させ、光学素子の飛び出しを抑制できる。
【００１３】
請求項３に記載の光学素子の取り出し用治具は、請求項１又は２に記載の発明において、前記係止手段は、前記取り出し部にて気体を吸引する連通孔を備えることを特徴とする。
【００１４】
前記取り出し部にて前記連通孔を介して気体を吸引することで、前記光学素子を安定的に固定できる。
【００１５】
請求項４に記載の光学素子の取り出し用治具は、請求項１〜３のいずれかに記載の発明において、前記光学素子はフランジ部を有し、前記ガイド溝は、前記フランジ部を両側で支持するガイド部を有することを特徴とする。
【００１６】
これにより前記光学素子の光学面をキズつけることなく、前記フランジ部を前記ガイドレールに沿って滑らせながら前記光学素子を搬送できる。
【００１７】
請求項５に記載の光学素子の取り出し用治具は、請求項１〜４のいずれかに記載の発明において、前記ガイド溝は、前記取り出し部近傍において直線状になっていることを特徴とする。
【００１８】
これにより、作業者が、前記取り出し部に到達した光学素子を容易に取り出すことができる。
【００１９】
請求項６に記載の光学素子の取り出し用治具は、請求項１〜５のいずれかに記載の発明において、前記ガイド溝は、水平位置と傾動位置との間で揺動可能となっており、前記水平位置で前記収容ケースが前記ガイド溝に連結された後、前記傾動位置まで傾動されることで、前記収容ケース内の光学素子が自重により前記ガイド溝へと移送されることを特徴とする。
【００２０】
前記水平位置で、前記ガイド溝と前記収容ケースを連結することで、前記収容ケースから光学素子が脱落することを抑制できる。又、前記ガイド溝と前記収容ケースを連結した後に、前記傾動位置へと傾動させることで、気体の圧力等に頼ることなく、前記収容ケース内の光学素子が自重により前記ガイド溝へと移送することができる。
【００２１】
請求項７に記載の光学素子の取り出し用治具は、請求項６に記載の発明において、前記傾動位置にて前記ガイド溝の傾きを固定するロック機構を有することを特徴とする。
【００２２】
これにより作業中に前記ガイド溝が水平に戻ることが阻止され、安定した作業を行える。
【００２３】
請求項８に記載の光学素子の取り出し用治具は、請求項１〜７のいずれかに記載の発明において、前記治具は、前記取り出し部の周囲に、凹部を設けたことを特徴とする。
【００２４】
これにより、作業者が、前記取り出し部から光学素子を取り出す際に、前記治具が障害になることを回避できる。
【発明の効果】
【００２５】
本発明によれば、スティック状の収容ケースに収容した光学素子を、安定した状態で順次取り出すことができる光学素子の取り出し用治具を提供することが可能になる。
【図面の簡単な説明】
【００２６】
【図１】レンズ収容ケースからレンズを取り出す治具の上面図である。
【図２】図１の治具をII-II線で切断して矢印方向に見た図である。
【図３】図２の治具の要部を拡大して示す断面図である。
【図４】治具の要部を分解した状態で示す斜視図である。
【図５】図３の治具をV-V線で切断して矢印方向に見た図である。
【図６】図２の構成をVI-VI線で切断して示す断面図であり、ロック解除状態を示す。
【図７】図２の構成をVI-VI線で切断して示す断面図であり、ロック状態を示す。
【発明を実施するための形態】
【００２７】
以下、本発明の実施の形態を、図面を参照して説明する。図１は、レンズ収容ケースからレンズを取り出す治具の上面図であり、図２は、図１の治具をII-II線で切断して矢印方向に見た図であり、図３は、図２の治具の要部を拡大して示す断面図であり、図４は、治具の要部を分解した状態で示す斜視図である。図５は、図３の治具をV-V線で切断して矢印方向に見た図である。
【００２８】
図１，２に示すように、治具１０は、矩形板状の治具ベース１１を有する。治具１１は、下面から突き出た脚部１１ａにより作業机ＤＫ上に載置され、対向側部から一対の側板１１ｂを平行に立設している。側板１１ｂには、対向する位置に開口１１ｃが形成されており、更に枢軸１２が、一対の開口１１ｃにより両端を支持された状態で取り付けられている。
【００２９】
治具ベース１１の上方には、矩形板状の回転ベース１３が配置されている。回転ベース１３は、図２で右端側に、各側板１１ｂに近接する側部から下方に突き出すように設けられたタブ１３ａを有する。タブ１３ａには貫通孔１３ｂが設けられ、貫通孔１３ｂには相対回動可能に枢軸１２が嵌合している。従って、回転ベース１３は、治具ベース１１に対して枢軸１２回りに回転可能となっている。
【００３０】
回転ベース１３の上面の図１、２で左側には、側板１１ｂに挟まれるようにして、矩形状のケースガイド板１４が固定されている。ケースガイド板１４は、レンズ収容ケースＬＣを受容する斜面である２つの受容部１４ａを有する。ケースガイド板１４に隣接して、２つの治具組立体２０が設けられている。治具組立体２０は、鏡像の構成であることを除き、互いに同様な構成を有するので一方のみ詳細に説明する。
【００３１】
図３，４において、治具組立体２０は、静電気防止用にカーボンを混入したポリアセタール樹脂等から形成される本体２１、及び本体２１に重ねられる蓋部２２を有する。本体２１は、略矩形板状であり、ケースガイド板１４側が薄い低部２１ａであって、反対側がそれより厚い高部２１ｂとなっている。低部２１ａの上面には、長手向に延在するように、且つ需要部１４ａと整列するようにして矩形断面の溝２１ｃが形成されている。
【００３２】
高部２１ｂの上面２１ｄは、低部２１ａ側から一段高くなっており、また低部２１ａ側から離れるにつれて高さが高くなるような曲面を備える。曲面の曲率半径は、レンズＬＳのフランジ部の大きさ、厚さ等によって変化するが、大きすぎると治具１０の大型化を招き、小さすぎるとレンズＬＳの移動に支障が生じる。このため曲率半径は２０〜５０ｍｍが好ましく、２５〜３５ｍｍがさらに好ましい。上面２１ｄには、長手方向に延在するようにして、矩形断面の溝２１ｅが、上面２１ｄに沿って曲線状に形成されている。溝２１e内には、長手方向両側に溝２１ｅに沿って延在する段差状のガイド部２１ｆが形成されている（図５参照）。尚、溝２１ｅの低部２１ａ側を連結部Ａとし、それとは逆側の端部を取り出し部Ｂとする。取り出し部Ｂの位置で溝２１ｅはストレート形状であってもよい。
【００３３】
図３において、高部２１ｂの連結部Ａ近傍には、溝２１ｅの底に一端を接続するようにして吐出路２１ｇが形成されている。吐出路２１ｇの他端は、高部２１ｂの側面に開口し、ここで第１継ぎ手ＣＴ１（図１参照）に接続している。尚、吐出路２１ｇの溝２１ｅへの接続端は、図３に示すように、吐出路２１ｇから吐出される空気の流れ成分が取り出し部Ｂ側に向かうよう（接線方向）に、傾いて溝２１ｅに交差している。
【００３４】
一方、取り出し部Ｂの近傍には，溝２１ｅの底に一端を接続するようにして排気路２１ｈが形成されている。排気路２１ｈの他端は、高部２１ｂの正面側に開口し、ここで不図示の継ぎ手に接続している。更に、取り出し部Ｂでは，溝２１ｅの底に一端を接続するようにして連通孔（係止手段）２１ｉが形成されている。連通孔２１ｉの他端は、高部２１ｂの正面側に開口し、ここで第２継ぎ手ＣＴ２に接続している。
【００３５】
吐出路２１ｇは、図１に示すように、配管Ｈ＋を介して例えば工場エア等の正圧空気源（気体供給部）Ｐ＋に接続され、排気路２１ｈと連通孔２１ｉは、配管Ｈ−を介して負圧空気源Ｐ−に接続される。正圧空気源Ｐ＋と負圧空気源Ｐ−に接続された配管Ｈ＋，Ｈ−に、不図示の制御弁を配置することで、例えば移動すべきレンズＬＳの個数に応じて、管内空気圧力又は空気量を制御可能とし、これによりレンズの数にかかわらず移動速度を一定に制御したり、レンズＬＳの飛び出し抑止力を調整したりできる。尚、工場エア等を入手できない場合、電動ポンプ等を別途備えることが望ましい。
【００３６】
図３，４において、本体２１に重ねられる蓋部２２は、その下面に、本体２１の低部２１ａに対応する隆起部２２ａを備え、また隆起部２２ａに隣接して高部２１ｂに対応した曲面部２２ｂを有する。隆起部２２ａの下面には、矩形断面溝２２ｃが形成されている。本体２１に蓋部２２を重ねたとき、隆起部２２ａが本体２１の低部２１ａに密着し、曲面部２２ｂが高部２１ｂに密着する。このとき、矩形断面溝２２ｃが本体２１の溝２１ｃに対向して、レンズ収容ケースＰＬＣを受容する開口Ｃを形成する。又、蓋部２２曲面部２２ｂが、溝２１ｅに対向してガイド溝Ｄを形成する。本体２１に蓋部２２を重ねた状態で、本体２１の取り出し部Ｂが露出するように、切欠２２ｄが蓋部２２の端部に形成されている。また、切欠２２ｄの周囲には、比較的大きな座繰り（凹部）２２ｅが形成され、レンズ取りだし作業の障害とならないようにしている。蓋部２２は、本体２１に対してボルトＢＴにより固定される。尚、蓋部２２とは別個に、取り出し部Ｂの上部を覆う開閉可能なカバー部材を設けて、レンズＬＳの不用意な飛び出しやゴミの侵入を抑制するようにしてもよい。
【００３７】
スティック状のレンズ収容ケースＰＬＣは、透明な樹脂からなる中空の角筒状であって、内部に形成した長手方向に延在するガイドレールＧＲ上にフランジ部ＦＬ（図５参照）を接地させて、レンズＬＳを光軸直交方向に１列に摺動自在に収容できるものであるが、例えば特願２０００−１０９１５８号公報に詳細が記載されているため、ここでは詳細な説明を省略する。但し、レンズ収容ケースＰＬＣの断面縦寸法Ｈ２（図３）は、矩形断面溝２２ｃと溝２１ｃとで形成する開口Ｃの縦寸法Ｈ１よりわずかに小さく、レンズ収容ケースＰＬＣの断面横寸法Ｗ２（図４）は、開口Ｃの横寸法Ｗ１よりわずかに小さくなっている。又、矩形断面溝２２ｃと溝２１ｃとで形成する開口Ｃにレンズ収容ケースＰＬＣを挿入したときに、ガイドレールＧＲの面は、溝２１ｅのガイド部２１ｆとほぼ面一（同じレベル）となっている。
【００３８】
図２において、回転ベース１３の下面にロック機構３０が設けられている。図６，７は、図２の構成をVI-VI線で切断して示す断面図である。ロック機構３０は、回転ベース１３の下面に形成された支持部１３ｃと、回転ベース１３とを接続する支持軸３１と、貫通孔３２ａを支持軸３１に貫通させてなり支持軸３１回りに回動可能となっているロック部材３２と、ロック部材３２を図６で時計回りに付勢するように回転ベース１３に取り付けられたバネ部材３３とを有する。ロック部材３２は、Ｌ字状の板部材であり、先端が鈎状に曲がっており、ここに凸部３２ｂを形成している。尚、図７に示すように、治具ベース１１の一方の側板１１ｂには、凸部３２ｂが係合できる孔（もしくは切欠）１１ｄが所定位置に形成されている。
【００３９】
次に、本実施の形態の治具１０の使用態様について説明する。まず、図２の点線で示すように、治具治具ベース１１に対して回転ベース１３を平行にする。このとき、ロック機構３０のロック部材３２における凸部３２ｂは、図６に示すように、側板１１ｂの平面上（孔１１ｄ以外の位置）にある。かかる状態で、図２の左方より、複数のレンズＬＳを収容したレンズ収容ケースＰＬＣの端部を接近させ、ケースガイド板１４の受容部１４ａをガイドとして、矩形断面溝２２ｃと溝２１ｅとで形成する開口Ｃ内へと挿入する。レンズ収容ケースＰＬＣの挿入端は、本体２１の高部２１ｂに突き当たり、ガイドレールＧＲの延長面上にガイド部２１ｆが位置するようになる。
【００４０】
レンズ収容ケースＰＬＣは、端部にストッパを設けて、搬送時等に不用意なレンズＬＳの落下を防止できるようにしているが、治具組立体２０に挿入する際は予めストッパを外すことになる。かかる場合、レンズ収容ケースＰＬＣを水平方向に治具組立体２０に差し入れるようにすることで、不用意なレンズＬＳの落下を防止できる。このとき、図１に示す２つの治具組立体２０のそれぞれに、同時にレンズ収容ケースＰＬＣ挿入することができるが、一方に収容するレンズＬＳを、他方に収容するレンズＬＳとの異ならせることで、作業が効率化する。
【００４１】
治具組立体２０にレンズ収容ケースＰＬＣを挿入した後、正圧空気源Ｐ＋、負圧空気源Ｐ−を動作させた状態で、治具ベース１１に対して回転ベース１３を図２で時計回りに回動させ，実線に示す位置まで傾ける（５０度前後）。このとき、ロック機構３０のロック部材３２における凸部３２ｂは、バネ部材３３により側板１１ｂ側に付勢されているが、その平面上を滑動することで、回転ベース１３の回動を妨げることはない。
【００４２】
回転ベース１３を所定位置まで回動させると、ロック機構３０のロック部材３２における凸部３２ｂが、側板１１ｂの孔１１ｄに係合し（図７参照）、ロック状態となる。これにより、回転ベース１３は、治具ベース１１に対して傾いた状態に保持される。このとき、図２，３に示すように、取り出し部Ｂの位置ではガイド溝Ｄがほぼ水平になる。
【００４３】
回転ベース１３が傾くことで、重力に従いレンズ収容ケースＰＬＣ内のレンズＬＳが重力加速度方向下側端部へと移動し、治具組立体２０のガイド溝Ｄ内へと移送され、ガイド部２１ｆによりレンズＬＳのフランジ部ＦＬが支持されるようになる。従って、レンズＬＳの光学面が傷つくことが抑制される。このとき、図３に示すように、正圧空気源Ｐ＋より吐出路２１ｇを介して、ガイド溝Ｄの取り出し部Ｂ側に向かって空気が吐出されるので、その風圧によりレンズＬＳの自重と相まって、レンズＬＳが整列した状態でガイド溝Ｄに沿って取り出し部Ｂ側に移動することとなる。ガイド溝Ｄ内に吐出された空気は、矢印に示すように、取り出し部Ｂの近傍で、排気路２１ｈを介して負圧空気源Ｐ−へと排出されるので、レンズＬＳを取り出し部Ｂから勢いよく飛び出させることはない。
【００４４】
取り出し部Ｂ側に移動したレンズＬＳには、吐出路２１ｇからの風圧が殆どなく、また傾いた状態で取り出し部Ｂがほぼ水平になっているので、レンズＬＳのフランジ部ＦＬが溝２１ｅの末端に軽く接触した状態で係止されることとなる。更に、負圧空気源Ｐ−により連通孔２１ｉから空気を吸引することで、取り出し部ＢのレンズＬＳはガイド溝２１ｅに対して吸着され、これにより外乱に惑わされることなくレンズＬＳを安定して係止することができる。作業者は、ピンセットなどを用いて取り出し部Ｂに到達したレンズＬＳを１つ取り出すことができる。取り出し部Ｂのレンズが取り出された後、次のレンズＬＳが取り出し部Ｂへと移動して、取り出しを待つこととなる。
【００４５】
１つのレンズ収容ケースＰＬＣから全てのレンズＬＳを取り出した後は、ロック機構３０のロック部材３２をバネ部材３３に付勢力に抗して（図６の反時計回りに）回動させることで、凸部３２ｂが側板１１ｂの孔１１ｄより係脱するので、ロック状態が解除される。これにより回転ベース１３が回動可能な状態になるから、回転ベース１３を図２で反時計回りに回動させ，点線で示すように水平状態にする。かかる状態から、空になったレンズ収容ケースＰＬＣを抜き出し、レンズＬＳを収容したレンズ収容ケースＰＬＣ代わりに挿入し、以下、同様な作業を行うことになる。
【００４６】
以上述べたように、本実施の形態によれば、レンズＬＳが、自重によりレンズ収容ケースＰＬＣからガイド溝Ｄに移送された後、ガイド溝Ｄに沿って供給される空気により推進力を付与されて取り出し部Ｂ側へと搬送されるようになっているので、ガイド溝Ｄ内でのレンズＬＳの移動は自重のみに依存することがなく、軽いレンズＬＳであってもガイド溝Ｄ内で引っかかり等が生じることなく、安定して取り出し部Ｂへと搬送を行える。又、ガイド溝Ｄが曲線状であり、連結部Ａ側から取り出し部Ｂ側へと徐々に水平に近づくように搬送されるので、取り出し部Ｂでは、自重に依存する推進力が減少することから、レンズＬＳの勢いが弱まり、その飛び出しを抑制でき、ガイド溝Ｄの端部Ｅで安定して係止した状態に保持される。
【産業上の利用可能性】
【００４７】
本発明は、明細書に記載の実施例に限定されるものではなく、他の実施例・変形例を含むことは、本明細書に記載された実施例や思想から本分野の当業者にとって明らかである。光学素子はレンズに限られない。治具に接続するレンズ収容ケースは１本でも良いし、３本以上でも良い。
【符号の説明】
【００４８】
Ａ            連結部
Ｂ            取り出し部
Ｃ            開口
Ｄ            ガイド溝
ＧＲ            ガイドレール
ＣＴ１            第１継ぎ手
ＣＴ２            第２継ぎ手
Ｈ＋、Ｈ−        配管
Ｐ＋            正圧空気源
Ｐ−            負圧空気源
ＰＬＣ            レンズ収容ケース
１０            治具
１１            治具ベース
１１ａ            脚部
１１ｂ            側板
１１ｃ            開口
１１ｄ            孔
１２            枢軸
１３            回転ベース
１３ａ            タブ
１３ｂ            貫通孔
１３ｃ            支持部
１４            ケースガイド板
１４ａ            受容部
２０            治具組立体
２１            本体
２１ａ            低部
２１ｂ            高部
２１ｃ            溝
２１ｄ            上面
２１ｅ            溝
２１ｆ            ガイド部
２１ｇ            吐出路
２１ｈ            排気路
２１ｉ            連通孔
２２            蓋部
２２ａ            隆起部
２２ｂ            曲面部
２２ｃ            矩形断面溝
２２ｄ            切欠
３０            ロック機構
３１            支持軸
３２            ロック部材
３２a            貫通孔
３２ｂ            凸部
３３            バネ部材
【図１】
2014125340.tif 000003
【図２】
2014125340.tif 000004
【図３】
2014125340.tif 000005
【図４】
2014125340.tif 000006
【図５】
2014125340.tif 000007
【図６】
2014125340.tif 000008
【図７】
2014125340.tif 000009